(57)【要約】【課題】ユーザーが有料コンテンツを利用し易くするためのＵＲＬサイト接続用記録媒体を提供する。【解決手段】会員を対象にサービスを提供するＵＲＬサイトのアドレスと、該ＵＲＬサイトを利用するための暗証番号（パスワード）とが記録されたＣＤ２０を具備したとするＵＲＬサイト接続用記録媒体１とし、前記暗証番号によりＵＲＬサイトを利用できる期間を有限とすることにより、個人情報や課金情報を入力することなく、ＵＲＬサイトの有料コンテンツを容易に利用可能とする。【選択図】  図１
2004342047.tif 000002
【特許請求の範囲】
【請求項１】
会員を対象にサービスを提供するＵＲＬサイトのアドレスと、該ＵＲＬサイトを利用するための暗証番号とが記録されたことを特徴とするＵＲＬサイト接続用記録媒体。
【請求項２】
前記暗証番号によりＵＲＬサイトを利用できる期間又は回数が有限である請求項１に記載のＵＲＬサイト接続用記録媒体。
【請求項３】
コンパクトディスクから成る記録媒体で構成された請求項１に記載のＵＲＬサイト接続用記録媒体。
【請求項４】
携帯電話に直接接続可能な記録媒体で構成された請求項１に記載のＵＲＬサイト接続用記録媒体。
【請求項５】
紙媒体で構成された請求項１に記載のＵＲＬサイト接続用記録媒体。
【請求項６】
ＵＲＬサイトのアドレス及び暗証番号のデータを携帯電話に送信可能なプログラムが格納された請求項１に記載のＵＲＬサイト接続用記録媒体。
【請求項７】
会員を対象にサービスを提供する複数のＵＲＬサイトのアドレスが記録されたＣＤ記録媒体と、該ＵＲＬサイトの一つを利用するための暗証番号が記録された紙媒体とを具備することを特徴とするＵＲＬサイト接続用記録媒体。
【請求項８】
サービス内容を解説した解説書を添付し、該解説書がパッケージ外側から閲覧可能とした請求項１又は請求項７に記載のＵＲＬサイト接続用記録媒体。
【発明の詳細な説明】
【０００１】
【発明の属する技術分野】
本発明は、ＵＲＬサイトに接続するための情報を記録した記録媒体に関し、特に、会員を対象にサービスを提供するＵＲＬサイト（有料コンテンツ）を利用し易くするためのＵＲＬサイト接続用記録媒体に関する。
【０００２】
【従来の技術】
インターネットを介して様々な情報をユーザーに提供するＵＲＬサイトには、予め会員登録をし、会員のみにサービスを提供するものが存在する。
このようなＵＲＬサイトにおいては、会員登録時に氏名などの個人情報やクレジットカード決済を行うための課金情報をＵＲＬサイト側へ提供することが行われている。
【０００３】
【発明が解決しようとする課題】
しかしながら、有料コンテンツを利用するユーザー側においては、自分が希望する情報が本当に提供されるのかに不安が生じたり、一旦会員になった場合の脱会手続が煩雑である等の理由により、会員登録を行うか否かの判断に迷う場合や、セキュリティの面から個人情報や課金情報をＵＲＬサイト側に提供したくない場合が、少なからず存在する。
【０００４】
ＵＲＬサイト側ではユーザーの不安を解消するために、「お試し期間」等を設けること等が行われているが、完全に不安を解消するには至っておらず、特に、個人情報や課金情報を提供したくないユーザーにとっての対策は何も採られていなかった。
これらのことから、会員を対象にサービスを提供するＵＲＬサイトにおいては、会員数を増加させることが困難であるという問題が生じていた。
【０００５】
本発明は上記実情に鑑みてなされたもので、ユーザーが有料コンテンツを利用し易くするためのＵＲＬサイト接続用記録媒体を提供することを目的とする。
【０００６】
【課題を解決するための手段】
上記目的を達成するため請求項１のＵＲＬサイト接続用記録媒体は、会員を対象にサービスを提供するＵＲＬサイトのアドレスと、該ＵＲＬサイトを利用するための暗証番号（パスワード）とが記録されたことを特徴としている。
この暗証番号は、ＵＲＬサイト側から提供されるものである。
【０００７】
請求項２は、請求項１のＵＲＬサイト接続用記録媒体において、前記暗証番号によりＵＲＬサイトを利用できる期間又は回数が有限であることを特徴としている。
【０００８】
請求項３は、請求項１のＵＲＬサイト接続用記録媒体において、コンパクトディスクから成る記録媒体で構成されていることを特徴としている。
【０００９】
請求項４は、請求項１のＵＲＬサイト接続用記録媒体において、携帯電話に直接接続可能な記録媒体で構成されたことを特徴としている。
【００１０】
請求項５は、請求項１のＵＲＬサイト接続用記録媒体において、紙媒体で構成されたことを特徴としている。
【００１１】
請求項６は、請求項１のＵＲＬサイト接続用記録媒体において、ＵＲＬサイトのアドレス及び暗証番号のデータを携帯電話に送信可能なプログラムが格納されたことを特徴としている。
【００１２】
請求項７のＵＲＬサイト接続用記録媒体は、会員を対象にサービスを提供する複数のＵＲＬサイトのアドレスが記録されたＣＤ記録媒体と、該ＵＲＬサイトの一つを利用するための暗証番号が記録された紙媒体とを具備することを特徴としている。
【００１３】
請求項７は、請求項１又は請求項７のＵＲＬサイト接続用記録媒体において、サービス内容を解説した解説書を添付し、該解説書がパッケージ外側から閲覧可能としたことを特徴としている。
【００１４】
本発明によれば、ＵＲＬサイトのアドレスと、該ＵＲＬサイトを利用するための暗証番号とが記録されたＵＲＬサイト接続用記録媒体をユーザー側で使用することにより、ユーザーがＵＲＬサイトへ容易にアクセス可能とし、ＵＲＬサイトで暗証番号が自動的に入力され、若しくは入力することにより、個人情報や課金情報を入力することなく、会員を対象にサービスを提供するＵＲＬサイトから有料コンテンツを利用することができる。
【００１５】
【発明の実施の形態】
本発明の実施の形態の一例としてのＵＲＬサイト接続用記録媒体について、図面を参照しながら説明する。
本発明のＵＲＬサイト接続用記録媒体１は、コンパクトディスク（ＣＤ）又はディジタルビデオディスク（ＤＶＤ）から成る記録媒体を解説書と一緒にパッケージ化し、所望の価格（販売価格）によって店頭での販売対象とするものである。
【００１６】
ＣＤ（ＤＶＤ）には、会員を対象にサービスを提供するＵＲＬサイトのアドレスデータと、このＵＲＬサイトを利用するための暗証番号データとが記録されている。
すなわち、ＵＲＬサイト接続用記録媒体１は、図１及び図２に示すように、サービス内容を紙媒体に解説した解説書１０上にＣＤ２０を載置し、透明樹脂で構成され折曲部３１で二つ折りされたパッケージ（ブリスターパック）３０で挟むように構成されている。解説書１０の裏面部分１１は、パッケージ３０の裏側（外側）３１からその内容が閲覧可能なように形成されている。
解説書１０の裏面部分１１には、ＣＤ２０に記録されているアドレスデータによりアクセス可能なＵＲＬサイトの内容や使用方法等、ＵＲＬサイトで得られる有料コンテンツの情報が記載されている。
【００１７】
なお、ブリスターパックで構成したパッケージ３０は、周囲に嵌合片を形成して解説書１０上に載置されたＣＤに対して被せて周囲を止める構造や、解説書及びＣＤが収納できる透明袋状のような構造でもよく、解説書１０部分が外部から閲覧できる構造であればよい。
【００１８】
ユーザーは、ＣＤに記録された暗証番号（パスワード）を使用することにより、ＵＲＬサイトを一定期間内において利用できるようになっている。暗証番号（パスワード）は、商品（ＵＲＬサイト接続用記録媒体１）毎に一対一にサイト側より提供されるものである。
また、この場合の一定期間（利用期間）とは、ＵＲＬサイトの有料コンテンツにアクセスした日から所定の期間若しくはアクセスした時から所定の接続時間であり、その期間／時間は販売価格との兼ね合いで決められている。
一定期間（利用期間）は、所定期間や接続時間に代えて、アクセス回数で制限してもよい。
【００１９】
ＣＤ（ＵＲＬサイト接続用記録媒体）内には、記録されているＵＲＬサイトのアドレスからＵＲＬサイトに接続するサイト接続プログラムと、記録されている暗証番号からＵＲＬサイト内の有料コンテンツに自動的に接続されるコンテンツ接続プログラムとが格納されている。
【００２０】
すなわち、ユーザーがこのＣＤを自分のパソコン上で読み込む（立ち上げる）と、自動的にサイト接続プログラムが起動してＵＲＬサイトに接続され、更にコンテンツ接続プログラムが起動して、ＵＲＬサイト内の有料コンテンツに接続される。また、有料コンテンツに接続できた日時はＣＤ側に記録され、上述した利用期間の起算時となる。
【００２１】
また、起算時から計算される接続時間は、ＣＤ側又はＵＲＬサイト側で管理できるようにプログラムされている。
ユーザー側で操作するパソコンは、ＣＰＵ，記憶装置，ＣＤ駆動装置，ディスプレイ装置，入力装置、印字装置を具備し、インターネットへの接続可能な環境を有する一般的なものが使用される。
【００２２】
次に、上記ＵＲＬサイト接続用記録媒体を使用して有料コンテンツから情報を得る場合の詳細な手順について、図３のフローチャート図を参照しながら説明する。
ユーザーがＣＤをパソコン上で読み込む（立ち上げる）と、サイト接続プログラムが起動してＵＲＬサイトに接続しホーム画面を表示する（ステップ１０１）。このホーム画面は、会員登録されていないアクセス者も閲覧できる画面であり、通常はこの画面からの所定の操作により会員登録が行われる。
次に、正当なユーザーであるかについて、暗証番号（パスワード）によるチェックが行われる（ステップ１０２）。これは、例えば、ホーム画面上に接続用記録媒体購入者用の確認キーを設定しておき、この確認キーをクリックすることでＣＤに記録された暗証番号を読み込むようにする。
【００２３】
次に、そのユーザーによる初めての接続（アクセス）であるか否かを判断する（ステップ１０３）。
次に、初めて接続である場合には、利用期間の起算となる第一回目アクセス時間の記録を行う（ステップ１０４）。
続いて、コンテンツ接続プログラムが起動して、ＵＲＬサイト内の有料コンテンツに接続する（ステップ１０５）。
そして、第一回目アクセス時間からの接続時間（総接続時間）が計算され（ステップ１０６）、設定されている利用期間になるまで接続状態が維持される（ステップ１０７）。
【００２４】
有料コンテンツの接続を終了する場合には、画面上に表示された終了ボタンをクリックすることによりコンテンツの接続が終了となり（１０８）、第一回目アクセス時間を起算とするトータルの接続時間を総接続時間として記録する（ステップ１０９）。
【００２５】
第二回目以降のアクセスの場合は、サイト接続プログラムが起動してＵＲＬサイトに接続し（ステップ１０１）、暗証番号のチェックを行った（ステップ１０２）後に、前回アクセスの総接続時間を読出し（ステップ１１０）、コンテンツ接続プログラムが起動してＵＲＬサイト内の有料コンテンツに接続される（ステップ１０５）。
二回目以降の接続では、ステップ１０６における総接続時間の計算では、前回接続時間に当該接続時間を加算する計算が行われ、接続時間が設定された利用時間になった時にコンテンツの接続が終了する。
【００２６】
上記例では、サイト接続プログラムが起動してＵＲＬサイトに接続されてホーム画面が表示された後に、確認キーの操作によって入力された暗証番号（パスワード）によりチェックを行うようにしたが、図４のフローチャートに示すように、ユーザーがＣＤをパソコン上で読み込む（立ち上げる）と、ＣＤから暗証番号を自動的に読み取ってのチェックが行われる（ステップ１０２）ようなものでもよい。この場合、暗証番号チェックの後に、アクセス情況のチェック（ステップ１０３）が行われ、その後にサイト接続プログラム及びコンテンツ接続プログラムが起動する（ステップ１０１及び１０５）ようになっている。
図４において、図３と同じ作用を有するステップには同一符合を付することにより、詳細な説明を省略する。
【００２７】
また、上記例では、ユーザー側のパソコンでＣＤを読み込み、このパソコン上でＵＲＬサイト内の有料コンテンツに接続できる例について説明したが、ＣＤ（ＵＲＬサイト接続用記録媒体）にＵＲＬサイトのアドレス及び暗証番号のデータを携帯電話に送信可能なプログラムが格納することにより、パソコン上でのＣＤの読み込み時に携帯電話側にデータが送信され、携帯電話において上記と同じ操作を行うことも可能である。
すなわち、携帯電話への送信が可能な環境下のパソコンでＣＤを読み込み、画面上に表示された送信確認キーを選択することで、ＵＲＬサイトのアドレス及び暗証番号のデータを携帯電話側に送信する。
【００２８】
また、上記例では、ＵＲＬサイト接続用記録媒体をパソコンで使用できるＣＤで構成したが、携帯電話に直接接続可能な記録媒体で構成してもよい。この場合は、携帯電話において上述したパソコン側での操作と同じ操作を行うことが可能となる。
【００２９】
また、ＵＲＬサイト接続用記録媒体を紙媒体で構成してもよい。この場合には、ＵＲＬサイトのアドレス及び暗証番号が紙媒体上に表示され、ユーザーが自分のパソコンや携帯電話でアドレスを入力してＵＲＬサイトを表示させ、更に暗証番号を入力させることでＵＲＬサイト内の有料コンテンツへの接続が可能となる。すなわち、図３のフローチャートのステップ１０２において、ホーム画面上に設けたパスワード入力窓に、ユーザー自らが入力すればよい。
この場合、暗証番号に対応して、アドレスデータ及び有料コンテンツに接続できた日時がＵＲＬサイト側に記録されることで、前記した利用期間の起算時となる。
【００３０】
上記各例では、ＵＲＬサイト接続用記録媒体に一つのＵＲＬサイトのアドレスと、このサイトの有料コンテンツに接続可能な暗証番号のデータを記録するようにしたが、複数のＵＲＬサイトのアドレスを記録したＣＤと、前記サイトうちの一つの有料コンテンツに接続可能な暗証番号（接続暗証番号）のデータを表示した紙媒体とでＵＲＬサイト接続用記録媒体を構成してもよい。
この場合、商品毎に必要な暗証番号を各ＣＤに記録する（焼き込む）必要がないので、ＣＤを共有化でき、コスト軽減を図ることが可能となる。
【００３１】
この場合の操作手順について、図５のフローチャートを参照しながら説明する。
すなわち、ＵＲＬサイト接続用記録媒体を構成するＣＤには、複数のＵＲＬサイトのアドレスが記録されている。そして、このＣＤをパソコン上で起動すると、サイト選択画面が表示され、サイト個数に応じた選択窓が表示される（ステップ２０１）。ユーザー側では、接続暗証番号に対応するサイト窓をクリックして選択することで、サイト接続用プログラムが起動し、暗証番号チェック画面で紙媒体に記載されている接続暗証番号を入力すれば（１０２）、図３と同様の手順で有料コンテンツへの接続が可能となる。
【００３２】
この場合、サイト選択画面で、接続暗証番号に対応するサイト以外を選択した場合には、サイト接続プラグラムの起動で各サイトのホーム画面は表示可能となるが、有料コンテンツへの接続は暗証番号（パスワード）が存在しないため、接続することができない。
しかしながら、ＵＲＬサイトのホーム画面をユーザー側に提供することで他のＵＲＬサイトの広告宣伝効果を発揮することが可能となる。すなわち、ＵＲＬサイトの紹介や無料お試しソフトや商品の紹介、購入方法等の情報をユーザー側に提供できるようにすることにより、商品提供者側にとって有効な情報媒体として活用することができる。
【００３３】
上述した各例によれば、上記構成のＵＲＬサイト接続用記録媒体を使用することにより、クレジットカード等の課金情報の登録や、ＩＤ、パスワードの取得手続をすることなく、有料コンテンツからの情報を気軽に且つ安心して利用することができる。
【００３４】
【発明の効果】
本発明によれば、ＵＲＬサイトのアドレスと、該ＵＲＬサイトを利用するための暗証番号とが記録されたＵＲＬサイト接続用記録媒体をユーザー側で使用することにより、ユーザーがＵＲＬサイトへ容易にアクセス可能とし、ＵＲＬサイトで暗証番号を入力することにより、個人情報や課金情報を入力することなく、会員を対象にサービスを提供するＵＲＬサイトから有料コンテンツを利用することができる。
【図面の簡単な説明】
【図１】本発明のＵＲＬサイト接続用記録媒体の実施の形態の一例を示す外観説明説明図である。
【図２】ＵＲＬサイト接続用記録媒体の実施の形態の一例を示す断面説明図である。
【図３】ＵＲＬサイト接続用記録媒体を使用してパソコンを起動させる場合のフローチャ−ト図である。
【図４】ＵＲＬサイト接続用記録媒体を使用してパソコンを起動させる場合の他の例を示すフローチャ−ト図である。
【図５】ＵＲＬサイト接続用記録媒体を使用してパソコンを起動させる場合の操作手順の一部を示すフローチャ−ト図である。
【符号の説明】
１…ＵＲＬサイト接続用記録媒体、
１０…解説書、  １１…裏面部分、
２０…ＣＤ、
３０…パッケージ、  ３１…折曲部
【図１】
2004342047.tif 000003
【図２】
2004342047.tif 000004
【図３】
2004342047.tif 000005
【図４】
2004342047.tif 000006
【図５】
2004342047.tif 000007